(57)【要約】【課題】ＡＰに接続されている無線ＬＡＮ端末の種類を特定し、効率の良いネットワーク管理が行なえるようにする。【解決手段】無線ＬＡＮ端末がＡＰに接続すると、無線ＬＡＮ管理システムは、ＡＰからＭＩＢを取得し、ＭＩＢに設定されているＭＡＣ情報とＳＳＩＤ情報を、無線ＬＡＮ管理システムの設定ファイルに設定されているＭＡＣ情報とＳＳＩＤ情報と比較する。ＭＩＢベースに設定されているＭＡＣ情報が設定ファイルに設定されているＭＡＣ情報の範囲にあり、かつＭＩＢに設定されているＳＳＩＤ情報が設定ファイルに設定されているＳＳＩＤ情報に一致した場合、前記ＡＰに接続している無線ＬＡＮ端末をＶｏＩＰ端末と判定し、そうでない場合、ＰＣ端末と判定する。【選択図】図１
2007228537.tif 000002
【特許請求の範囲】
【請求項１】
無線ＬＡＮにおいて、無線ＬＡＮ端末が無線ＬＡＮアクセスポイントに接続すると、無線ＬＡＮの電波状況、ユーザの接続状況を管理する無線ＬＡＮ管理システムが、前記無線ＬＡＮアクセスポイントから管理情報ベースを取得し、取得した管理情報ベースに設定されているＭＡＣ情報とＳＳＩＤ情報を、前記無線ＬＡＮ管理システムの設定ファイルに設定されているＭＡＣ情報とＳＳＩＤ情報と比較して、前記無線ＬＡＮアクセスポイントに接続している無線ＬＡＮ端末の種類を判別する、無線ＬＡＮにおける端末判別方法。
【請求項２】
前記管理情報ベースに設定されているＭＡＣ情報が前記設定ファイルに設定されているＭＡＣ情報の範囲にあり、かつ前記管理情報ベースに設定されているＳＳＩＤ情報が前記設定ファイルに設定されているＳＳＩＤ情報に一致した場合、前記無線ＬＡＮアクセスポイントに接続している無線ＬＡＮ端末をＶｏＩＰ端末と判定し、そうでない場合、ＰＣ端末と判定する、請求項１に記載の無線ＬＡＮにおける端末判別方法。
【請求項３】
無線ＬＡＮの電波状況、ユーザの接続状況を管理する無線ＬＡＮ管理システムがインストールされているネットワークサーバと、無線ＬＡＮアクセスポイントと、インターネットに一時的に接続するコンピュータに必要な情報を割り当てるＤＨＣＰサーバとを有し、前記無線ＬＡＮ管理システムは、無線ＬＡＮ端末が前記無線ＬＡＮアクセスポイントに接続すると、前記無線ＬＡＮアクセスポイントから管理情報ベースを取得し、取得した管理情報ベースに設定されているＭＡＣ情報とＳＳＩＤ情報を、前記無線ＬＡＮ管理システムの設定ファイルに設定されているＭＡＣ情報とＳＳＩＤ情報と比較して、前記無線ＬＡＮアクセスポイントに接続している無線ＬＡＮ端末の種類を判別する無線ＬＡＮ。
【請求項４】
前記無線ＬＡＮ管理システムは、前記管理情報ベースに設定されているＭＡＣ情報が前記設定ファイルに設定されているＭＡＣ情報の範囲にあり、かつ前記管理情報ベースに設定されているＳＳＩＤ情報が前記設定ファイルに設定されているＳＳＩＤ情報に一致した場合、前記無線ＬＡＮアクセスポイントに接続している無線ＬＡＮ端末をＶｏＩＰ端末と判定し、そうでない場合、ＰＣ端末と判定する、請求項１に記載の無線ＬＡＮ。
【発明の詳細な説明】
【技術分野】
【０００１】
本発明は無線ＬＡＮ（Ｌｏｃａｌ  Ａｒｅａ  Ｎｅｔｗｏｒｋ）に関し、特に無線端末判別方法に関する。
【背景技術】
【０００２】
複数のアクセスポイント（以下、ＡＰ）の状態をリアルタイムで監視、管理し、ＡＰが周波数チャネルや通信方式等を動的に変更することで、通信品質を高水準で維持することができるＡＰ管理端末装置が提案されている（特許文献１等）。
【０００３】
上記の装置を含む従来の無線ＬＡＮ管理システムは、ＡＰに現在接続している端末の種類を特定することができなかった。
【０００４】
このように端末の種類が特定できないため、信号の取り扱い方が異なるＶｏＩＰ端末と普通のノートＰＣを同じくくりで、つまり同じ１つの無線端末として管理しなければならなかった。ＶｏＩＰの通信は遅延に敏感であるため、通話品質を確保するためにはＶｏＩＰ用に必要最低限の帯域を割り当てなければならない。ＶｏＩＰ端末の接続を認識することにより、ＶｏＩＰ端末が接続されているときはＶｏＩＰ端末の通信を優先したり、1つのＡＰへの接続数を制限したりすることにより、ＶｏＩＰ通信と他のデータ通信が混在しても通話品質を確保できることが予想される。
【０００５】
また、端末の種類が特定できないため、無線ＬＡＮ管理システムによってはトラフィック量の計算が正確ではなくなり、計算に大きな誤差が生じることである。その理由はＷＬＡＮ  Ｍａｎａｇｅｒ（（株）日本電気製）のような、パケット数からトラフィック量を計算し、制御を行う管理システムでは、ＶｏＩＰ端末は一般にパケット長の短いデータを送信するため、数台のＶｏＩＰ端末が接続されているだけで大きなトラフィックが流れていると判断していたためである。
【特許文献１】特開２００５−９４１６４
【発明の開示】
【発明が解決しようとする課題】
【０００６】
無線ＬＡＮ端末がＡＰに接続されているとき、ネットワーク管理者は現在接続されている無線ＬＡＮ端末の種類を特定することができなかったため、効率の良いネットワーク管理が行えなかった。
【０００７】
本発明の目的は、ＡＰに接続されている無線ＬＡＮ端末の種類を特定し、効率の良いネットワーク管理が行なえる、無線ＬＡＮにおける端末判別方法および無線ＬＡＮを提供することにある。
【課題を解決するための手段】
【０００８】
本発明は、無線ＬＡＮアクセスポイントに接続している無線端末のＭｄｅｄｉａ  Ａｃｃｅｓｓ  Ｃｏｎｔｒｏｌ  Ａｄｄｒｅｓｓ(以下ＭＡＣアドレス)とＳｅｒｖｉｃｅ  Ｓｅｔ  ＩＤ(以下ＳＳＩＤ)により無線ＬＡＮ端末の種類を判定するものである。
【０００９】
無線ＡＰの実装によっては管理情報ベース（Ｍａｎａｇｅｍｅｎｔ  Ｉｎｆｏｒｍａｔｉｏｎ  Ｂａｓｅ、以下ＭＩＢ)を参照することによって、ＡＰに現在接続されている無線ＬＡＮ端末のＭＡＣアドレスとＳＳＩＤを取得できる。ＶｏＩＰ端末で使用されるＭＡＣアドレスの範囲とＳＳＩＤは決まっているため、現在接続されている無線ＬＡＮ端末のＭＡＣアドレスがその範囲にあり、ＳＳＩＤが一致すれば、端末をＶｏＩＰ端末であると判別することができる。
【発明の効果】
【００１０】
第１の効果は、視覚的に把握することが困難なＶｏＩＰ端末の接続先ＡＰが分かることと、特定のＡＰへのＶｏＩＰ端末の接続数を特定できることにある。
【００１１】
その理由は、無線管理システムは接続されている無線端末数と接続先ＡＰを把握できる機能を有しているが、ＭＡＣアドレスとＳＳＩＤから端末の種類を識別することが可能になることにより、端末の種類ごとの接続数と接続先ＡＰを把握できるためである。
【００１２】
第２の効果は、無線端末の種別を把握できることにより、効率の良いネットワーク管理が行えることにある。
【００１３】
その理由は、ＶｏＩＰ端末から送信されるデータは一般のＰＣから送信されるデータより遅延に敏感であるため、通常のデータと識別を行うことによりＶｏＩＰデータを一般のデータより優先させるなどの処置を行うことが可能になるからである。
【発明を実施するための最良の形態】
【００１４】
次に、本発明の実施の形態について図面を参照して説明する。
【００１５】
図１を参照すると、本発明の第１の実施形態による無線ＬＡＮは、ネットワーク管理システムであるＷＬＡＮ  Ｍａｎａｇｅｒがインストールされているネットワーク管理サーバ１００と、無線ＬＡＮコントローラ１１０と、アンテナ１２０、１２１と、ＤＨＣＰ(Ｄｙｎａｍｉｃ  Ｈｏｓｔ  Ｃｏｎｆｉｇｕｒａｔｉｏｎ  Ｐｒｏｔｏｃｏｌ)サーバ１５０で構成されている。
【００１６】
ＷＬＡＮ  Ｍａｎａｇｅｒは、無線ＬＡＮの電波状況やユーザの接続状況を管理するソフトウェアである。無線ＬＡＮコントローラ１１０とアンテナ１２０、１２１は無線アクセスポイントを構成し、有線から無線へ、無線から有線へ信号を変換する機器で、無線ＬＡＮ端末が発する電波を、これを経由してインターネットなどに接続する。ＤＨＣＰサーバ１５０は、インターネットに一時的に接続するコンピュータにＩＰアドレスなどの必要な情報を割り当てるサーバで、本実施形態では、ＶｏＩＰ端末、ＰＣ端末にＩＰアドレス、サブネットマスク、デフォルトルートなどの情報を設定する。
【００１７】
アンテナ１２０とＶｏＩＰ端末１３０、アンテナ１２１とＰＣ端末１４０には共通なＳＳＩＤが設定されている。ＶｏＩＰ端末１３０、ＰＣ端末１４０はそれぞれアンテナ１２０、１２１に無線ＬＡＮで接続する。また、ＶｏＩＰ端末１３０とＰＣ端末１４０はＤＨＣＰサーバ１５０からＩＰアドレスを取得している。
【００１８】
図２はＷＬＡＮ  Ｍａｎａｇｅｒの設定ファイル０１の例を示している。この例では、ＶｏＩＰ端末、ＶｏＩＰ２端末のＭＡＣアドレスの範囲ｍａｃ_ｒａｎｇｅとｓｓｉｄが設定されている。なお、「ａｌｉａｓ」はｍａｃ_ｒａｎｇｅとｓｓｉｄからなるデータのかたまりの名前で、識別子として使っている。
【００１９】
次に、図３のフローチャートと図４のシーケンスチャートを参照して本実施形態の動作について詳細に説明する。
【００２０】
まず、無線端末がアンテナ１２０に接続すると（ステップ２１０）、無線ＬＡＮコントローラ１１０のＭａｎａｇｅｍｅｎｔ  Ｉｎｆｏｒｍａｔｉｏｎ  Ｂａｓｅ（以下ＭＩＢ）ｉｓｏ（１）.ｏｒｇ（３）.ｄｏｄ（６）.ｉｎｔｅｒｎｅｔ（１）.ｐｒｉｖａｔｅ（４）.ｅｎｔｅｒｐｒｉｓｅ（１）.ａｉｒｅｓｐａｃｅ（１４１７９）.ｂｓｎＷｉｒｅｌｅｓｓ（２）.ｂｓｎＥｓｓ（１）.ＢｓｎＭｏｂｉｌｅＳｔａｔｉｏｎＴａｂｌｅ（４）.ｂｓｎＭｏｂｉｌｅＳｔａｔｉｏｎＥｎｔｒｙ（１）.ｂｓ  ｎＭｏｂｉｌｅＳｔａｔｉｏｎＭａｃＡｄｄｒｅｓｓ（１）に現在接続している無線端末のＭＡＣアドレスとＳＳＩＤが設定される（ステップ２２０）。Ｗｌａｎ  ＭａｎａｇｅｒからそのＭＩＢを取得する（ステップ２３０）。ＷＬＡＮ  Ｍａｎａｇｅｒは取得したＭＩＢから接続されている端末のＭＡＣアドレスとＳＳＩＤを認識する（ステップ２４０）。ＭＡＣアドレスがＷｌａｎ  Ｍａｎａｇｅｒの設定ファイル０１（図３）のｍａｃ_ｒａｎｇｅに書かれている範囲にあるかどうかをチェックする（ステップ２５０）。範囲にあればそのｍａｃ_ｒａｎｇｅのａｌｉａｓのｓｓｉｄと取得したＭＩＢから取得したＳＳＩＤが一致するかどうかをチェックする（ステップ２６０）。一致する場合はその端末がＶｏＩＰ端末であると判定する（ステップ２７０）。ＭＡＣアドレスがｍａｃ_ｒａｎｇｅの範囲になかったり、範囲にあったがｓｓｉｄに記述されていない場合、無線ＬＡＮ端末はＰＣであると判定する（ステップ２８０）。
【００２１】
図５を参照すると、本発明の第２の実施形態による無線ＬＡＮは、１つのＶｏＩＰシステムに複数のＳＳＩＤの使用を許可するもので、第１の実施形態による無線ＬＡＮの無線ＬＡＮコントローラ１１０とアンテナ１２０からなる無線アクセスポイントに、さらにＶｏＩＰ端末１３１が接続している。また、ＶｏＩＰ端末のＳＳＩＤはＶｏＩＰ、ＰＣ端末のＳＳＩＤはＰＣと設定されている。
【００２２】
次に、本実施形態の動作を図６のフローチャートに従って詳しく説明する。端末がＡＰに接続すると（ステップ２１０）、無線ＬＡＮコントローラ１１０ＭＩＢにＭＡＣアドレスとＳＳＩＤが設定される（ステップ２２０）。次に、ＷＬＡＮ  ＭａｎａｇｅｒがＡＰから端末に関するＭＩＢを取得する（ステップ６３０）。次に、ＷＬＡＮ  Ｍａｎａｇｅｒは取得したＭＩＢから接続されている端末のＭＡＣアドレスを認識し（ステップ２４０）、それが設定ファイル０１のｍａｃ_ｒａｎｇｅに書かれている範囲であるかどうかをチェックする（ステップ２５０）。マッチした場合はそのｍａｃ_ｒａｎｇｅのａｌｉａｓの１つ目のｓｓｉｄと取得したＭＩＢから取得したＳＳＩＤが一致するかどうかをチェックし（ステップ２６１）、一致する場合はその端末がＶｏＩＰ端末であると判定する（ステップ２７０）。一致しない場合は２つ目のｓｓｉｄが一致するかどうか比較する（ステップ２６２）。一致する場合はその端末がＶｏＩＰ端末であると判定する（ステップ２７０）。それでもマッチしない場合はＮ個目のｓｓｉｄが一致するかどうか比較する（ステップ２６３）。一致する場合はその端末がＶｏＩＰ端末であると判定する（ステップ２７０）。それでも一致しない場合やＭＡＣアドレスがｍａｃ_ｒａｎｇｅの範囲にない場合、無線ＬＡＮ端末はＰＣであると判定する（ステップ２８０）。
【図面の簡単な説明】
【００２３】
【図１】本発明の第１の実施形態による無線ＬＡＮの構成図である。
【図２】ＷＬＡＮ  Ｍａｎａｇｅｒの設定ファイル０１の例を示す図である。
【図３】第１の実施形態の動作を示すフローチャートである。
【図４】第１の実施形態の動作を示すシーケンスチャートである。
【図５】本発明の第２の実施形態による無線ＬＡＮの構成図である。
【図６】第２の実施形態の動作を示すフローチャートである。
【符号の説明】
【００２４】
１００    ネットワーク管理サーバ
１１０    無線ＬＡＮコントローラ
１２０、１２１    アンテナ
１３０    ＶｏＩＰ端末
１４０    ＰＣ端末
１５０    ＤＨＣＰサーバ
２１０〜２８０    ステップ
【図１】
2007228537.tif 000003
【図２】
2007228537.tif 000004
【図３】
2007228537.tif 000005
【図４】
2007228537.tif 000006
【図５】
2007228537.tif 000007
【図６】
2007228537.tif 000008